【手続補正書】
【提出日】平成19年7月2日(2007.7.2)
【手続補正１】
【補正対象書類名】明細書
【補正対象項目名】特許請求の範囲
【補正方法】変更
【補正の内容】
【特許請求の範囲】
【請求項１】  第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記副走査方向において先頭のノズルが同じ位置となるように前記主走査方向に並べて配置されており、
前記第２のノズル列に含まれるノズルの数は、前記第１のノズル列に含まれるノズルの数の２倍以上であり、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列の前記第１のノズル列に含まれるノズルの数の複数倍のノズルのみを用いて前記第２のインクを吐出して記録を行う第２の記録走査を１回と、の組合せを単位として画像の記録を行うことを特徴とするインクジェット記録装置。
【請求項２】  前記組合せを単位とした画像の記録は、往路方向への記録走査と復路方向への記録走査で行われることを特徴とする請求項１に記載のインクジェット記録装置。
【請求項３】  前記第２のインクを吐出するノズルは、前記第１のインクを吐出するノズルよりも１回の吐出量が多いことを特徴とする請求項１又は２に記載のインクジェット記録装置。
【請求項４】  前記第２のインクが、前記第１のインクよりも記録媒体に対する浸透性が小さいことを特徴とする請求項１から３のいずれか１項に記載のインクジェット記録装置。
【請求項５】  前記第２のインクのブリストウ法におけるＫａ値が、前記第１のインクのブリストウ法におけるＫａ値よりも小さいことを特徴とする請求項４に記載のインクジェット記録装置。
【請求項６】  前記第２のインクがブラックインクであり、前記第１のインクがカラーインクであることを特徴とする請求項１から５のいずれか１項に記載のインクジェット記録装置。組合せを単位とした画像の記録
【請求項７】  前記第２のノズル列に含まれるノズルの数が、前記第１のノズル列に含まれるノズルの数の２倍であることを特徴とする請求項１から６のいずれか１項に記載のインクジェット記録装置。
【請求項８】  前記組合せを単位とした画像の記録は、前記第２の記録走査、前記第１の記録走査、前記記録媒体の前記距離の搬送、前記第１の記録走査、及び前記記録媒体の前記距離の搬送の順で行われることを特徴とする請求項７に記載のインクジェット記録装置。
【請求項９】  前記組合せを単位とした画像の記録は、前記第１の記録走査、前記第２の記録走査、前記記録媒体の前記距離の搬送、前記第１の記録走査、及び前記記録媒体の前記距離の搬送の順で行われることを特徴とする請求項７に記載のインクジェット記録装置。
【請求項１０】  記録すべき画像に、前記第１のインクで記録される領域と前記第２のインクで記録される領域とが隣接する部分があるか否かを判定し、隣接する部分があると判定された場合に、前記組合せを単位とした画像の記録が行われることを特徴とする請求項１から９のいずれか１項に記載のインクジェット記録装置。
【請求項１１】  第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録方法であって、
前記第１のノズル列と前記第２のノズル列とは、前記副走査方向において先頭のノズルが同じ位置となるように前記主走査の方向に並べて配置されており、
前記第２のノズル列に含まれるノズルの数は、前記第１のノズル列に含まれるノズルの数の２倍以上であり、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列のうち前記第１のノズル列に含まれるノズルの数の複数倍のノズルのみを用いて前記第２のインクを吐出して記録を行う第２の記録走査を１回と、の組合せを単位として画像の記録を行うことを特徴とするインクジェット記録方法。
【請求項１２】  第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記副走査方向に関して先頭のノズルが同じ位置となるように、前記主走査の方向に並べて配置され、
前記第２のノズル列の前記副走査方向における長さは、前記第１のノズル列の前記副走査方向における長さの２倍以上であり、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行うことを特徴とするインクジェット記録装置。
【請求項１３】  第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録方法であって、
前記第１のノズル列と前記第２のノズル列とは、前記副走査方向に関して先頭のノズルが同じ位置となるように、前記主走査の方向に並べて配置され、
前記第２のノズル列の前記副走査方向における長さは、前記第１のノズル列の前記副走査方向における長さの２倍以上であり、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行うことを特徴とするインクジェット記録方法。
【手続補正２】
【補正対象書類名】明細書
【補正対象項目名】００１４
【補正方法】変更
【補正の内容】
【００１４】
【課題を解決するための手段】
上記目的を達成するために本発明の一態様のインクジェット記録装置は、第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記副走査方向において先頭のノズルが同じ位置となるように前記主走査方向に並べて配置されており、
前記第２のノズル列に含まれるノズルの数は、前記第１のノズル列に含まれるノズルの数の２倍以上であり、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列の前記第１のノズル列に含まれるノズルの数の複数倍のノズルのみを用いて前記第２のインクを吐出して記録を行う第２の記録走査を１回と、の組合せを単位として画像の記録を行う。
【手続補正３】
【補正対象書類名】明細書
【補正対象項目名】００１５
【補正方法】変更
【補正の内容】
【００１５】
また、上記目的を達成する本発明の一態様のインクジェット記録方法は、第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録方法であって、
前記第１のノズル列と前記第２のノズル列とは、前記副走査方向において先頭のノズルが同じ位置となるように前記主走査の方向に並べて配置されており、
前記第２のノズル列に含まれるノズルの数は、前記第１のノズル列に含まれるノズルの数の２倍以上であり、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列のうち前記第１のノズル列に含まれるノズルの数の複数倍のノズルのみを用いて前記第２のインクを吐出して記録を行う第２の記録走査を１回と、の組合せを単位として画像の記録を行うことを特徴とする。
【手続補正４】
【補正対象書類名】明細書
【補正対象項目名】００１９
【補正方法】変更
【補正の内容】
【００１９】
上記目的を達成する本発明の別の態様のインクジェット記録装置は、第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記副走査方向に関して先頭のノズルが同じ位置となるように、前記主走査の方向に並べて配置され、
前記第２のノズル列の前記副走査方向における長さは、前記第１のノズル列の前記副走査方向における長さの２倍以上であり、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行う。
【手続補正５】
【補正対象書類名】明細書
【補正対象項目名】００２０
【補正方法】変更
【補正の内容】
【００２０】
更に、上記目的を達成する本発明の別の態様のインクジェット記録方法は、第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録方法であって、
前記第１のノズル列と前記第２のノズル列とは、前記副走査方向に関して先頭のノズルが同じ位置となるように、前記主走査の方向に並べて配置され、
前記第２のノズル列の前記副走査方向における長さは、前記第１のノズル列の前記副走査方向における長さの２倍以上であり、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行う。